(57)【要約】  本発明の実施形態は、インテリジェント端末上のタッチオペレーションに基づくコンポーネントを移動する従来の操作の代わりとして使用される、デスクトップコンテナの切り替えを制御するための方法および端末を開示する。前記本発明の実施形態による方法は、コンポーネントに基づく動きイベントがアクティブになった時に、端末によって移動判定情報を獲得するステップと、前記移動判定情報にしたがって、前記端末によって前記端末の移動状態を識別するステップと、前記移動状態にしたがって、前記端末によって現在表示されたデスクトップ・コンテナ・ページを切り替えるとともに、前記動きイベントに基づいて、前記切り替えるステップの後に表示されたデスクトップ・コンテナ・ページへコンポーネントを移動させるステップとを含む。
2015506518.tif 000002
【特許請求の範囲】
【請求項１】
コンポーネントに基づく動きイベントがアクティブになった時に、端末によって移動判定情報を取得するステップと、
前記移動判定情報にしたがって、前記端末によって前記端末の移動状態を識別するステップと、
前記移動状態にしたがって、前記端末によって現在表示されたデスクトップ・コンテナ・ページを切り替えるとともに、前記動きイベントに基づいて、前記切り替えるステップの後に表示されたデスクトップ・コンテナ・ページへコンポーネントを移動させるステップと、
を具備する、デスクトップコンテナの切り替えを制御するための方法。
【請求項２】
前記コンポーネントに基づく動きイベントがアクティブになることは、
前記端末の前記現在表示されたデスクトップ・コンテナ・ページにおいて、事前に設定された時間を超える時間の間、タッチまたはホールドされたいずれかのコンポーネントが存在するときに、前記コンポーネントに基づく動きイベントがアクティブになったと判定されること、
または、
前記端末の前記現在表示されたデスクトップコンテナにおいて、ダブルタップされたいずれかのコンポーネントが存在する時に、前記コンポーネントに基づく動きイベントがアクティブになったと判定されること、
を具備する、請求項１に記載の方法。
【請求項３】
前記移動判定情報は、傾きラジアン情報および加速度情報を具備するとともに、
端末によって移動判定情報を取得する前記ステップは、
前記端末によってジャイロスコープセンサを用いて前記傾きラジアン情報を取得するステップであって、前記傾きラジアン情報が前記端末の現在の傾きのラジアンを判定するために使用される、ステップと、
前記端末によって加速度センサを用いて前記加速度情報を取得するステップであって、前記加速度情報が前記傾きラジアン情報を訂正するために使用される、ステップと、
を具備する、請求項１または２に記載の方法。
【請求項４】
前記端末の移動状態は、左傾き復元および右傾き復元を具備するとともに、
前記端末の移動状態にしたがって、前記端末によって現在表示されたデスクトップ・コンテナ・ページを切り替える前記ステップは、
前記端末の移動状態が前記左傾き復元のときに、予め設定された方向の隣接ページへ前記端末の前記現在表示されたデスクトップ・コンテナ・ページを切り替えるステップと、
前記端末の移動状態が前記右傾き復元のときに、前記予め設定された方向と逆方向の隣接ページへ前記端末の前記現在表示されたデスクトップ・コンテナ・ページを切り替えるステップと、
を具備する、請求項１から３のいずれか１項に記載の方法。
【請求項５】
コンポーネントに基づく動きイベントがアクティブになった時に前記端末の移動判定情報を取得するように構成される移動判定情報取得ユニットと、
前記移動判定情報にしたがって、前記端末の移動状態を識別するように構成される移動状態識別ユニットと、
前記移動状態にしたがって、現在表示されたデスクトップ・コンテナ・ページを切り替えるとともに、前記動きイベントに基づいて前記切り替えの後に表示されたデスクトップ・コンテナ・ページへコンポーネントを移動するように構成される、ページ切替ユニットと、
を具備する、端末。
【請求項６】
前記端末の前記現在表示されたデスクトップコンテナにおいて、事前に設定された時間を超える時間の間、タッチまたはホールドされたいずれかのコンポーネントが存在するときに、前記コンポーネントに基づく動きイベントがアクティブになったと判定する、または、前記端末の前記現在表示されたデスクトップコンテナにおいて、ダブルタップされたいずれかのコンポーネントが存在する時に、前記コンポーネントに基づく動きイベントがアクティブになったと判定するように構成される、動きイベント・アクティベート・ユニットと、
をさらに具備する、請求項２に記載の端末。
【請求項７】
前記移動判定情報取得ユニットにおける前記移動判定情報は、傾きラジアン情報および加速度情報を具備するとともに、前記移動判定情報取得ユニットは、
ジャイロスコープセンサを使用することによって前記傾きラジアン情報を取得するように構成される、傾きラジアン情報取得ユニットであって、前記傾きラジアン情報は、前記端末の現在の傾きラジアンを判定するために使用される、傾きラジアン情報取得ユニットと、
加速度センサを使用することによって前記加速度情報を取得するように構成される、加速度情報取得ユニットであって、前記加速度情報は、前記傾きラジアン情報を訂正するために使用される、加速度情報取得ユニットと、
をさらに具備する、請求項５又は６に記載の端末。
【請求項８】
前記移動状態識別ユニットによって識別される前記端末の移動状態は、左傾き復元および右傾き復元を具備するとともに、前記ページ切替ユニットは、
前記端末の移動状態が前記左傾き復元のときに、予め設定された方向の隣接ページへ前記端末の前記現在表示されたデスクトップ・コンテナ・ページを切り替えるように構成される、第１ページ切替サブユニットと、
前記端末の移動状態が前記右傾き復元のときに、前記予め設定された方向と逆方向の隣接ページへ前記端末の前記現在表示されたデスクトップ・コンテナ・ページを切り替えるように構成される、第２ページ切替サブユニットと、
をさらに具備する、請求項５から７のいずれか１項に記載の端末。
【発明の詳細な説明】
【技術分野】
【０００１】
本発明は、発明の名称を「デスクトップコンテナの切り替えを制御するための方法および端末」として２０１２年３月２９日に中国特許庁へ出願した中国特許出願第ＣＮ２０１２１００８７９５０．３号の優先性を主張するもので、その全体がこの引用によってここに組み込まれる。
【０００２】
本発明は、端末技術の分野、特に、デスクトップコンテナの切り替えを制御するための方法および端末に関する。
【背景技術】
【０００３】
インテリジェント端末ＯＳ（オペレーティングシステム（Ｏｐｅｒａｔｉｎｇ  Ｓｙｓｔｅｍ））は、デスクトップコンテナを含むとともに、前記デスクトップコンテナは、コンポーネントを配置するために使用される。前記デスクトップコンテナは、複数のページを含んでもよい。前記デスクトップコンテナがアクセスされたとき、第１ページが最初に表示される。前記デスクトップコンテナの前記第１ページは、前記デスクトップコンテナのメインページとして参照もされる。他のページは、第２ページ、第３ページ等として連続的に配列される。全タッチ端末（ａｌｌ−ｔｏｕｃｈ  ｔｅｒｍｉｎａｌ）は、物理的なナビゲーションキーを全く提供せず、且ついくつかのオペレーションキーを置換するためのタッチオペレーションに基づいたスクリーンジェスチャを使用する。ユーザは、タッチスクリーン上で右にフリックすることによって前のページへページを切り替えるとともに、左にフリックすることによって次のページへ切り替える。
【０００４】
現在、前記ユーザが、あるコンポーネントを現在のページから別のページへ移動することを必要とするとき、前記ユーザは、前記現在のページ上の前記コンポーネントをタッチおよびホールドする。前記コンポーネント移動の操作がトリガした後、前記デスクトップコンテナの前記ページが、前のページへ切り替わるか、あるいは次のページへ切り替わるように、前記現在のページの左端または右端へ前記コンポーネントをドラッグし、前記ページがターゲットページへ切り替わるまでタッチおよびホールドされた前記コンポーネントをリリースする。図１を参照すると、端末１０は、デスクトップコンテナ１１、コンポーネント１２、ページディバイダー１３を含み、前記ページディバイダー１３の４つの円は、前記デスクトップコンテナ１１に対応する４つのページを表現する。前記コンポーネント１２を前記現在のページの前のページまたは次のページへ移動するために、ユーザは、前記コンポーネント１２をタッチおよびホールドするとともに、前記コンポーネント１２を現在のページの左端または右端へドラッグする。
【０００５】
しかしながら、１つの手で大きなスクリーンの端末を操作することに慣れたユーザに対して、タッチオペレーションに基づくコンポーネントを移動させる前記操作は、すなわち、前記コンポーネントをタッチおよびホールドするとともに前記コンポーネントをドラッグすることは、親指に高圧力をもたらすとともに容易に前記ユーザの手の疲労を引き起こす。加えて、前記親指は、前記端末をしっかりと持つことの助けにならず、かつ端末を落とす危険が増加する大きなスクリーン上でフリックを行うために必要である。前述の二つの事実は、前記ユーザのオペレーションエクスペリエンスを低下させる。
【発明の概要】
【発明が解決しようとする課題】
【０００６】
前述の問題を解決するために、本発明の態様は、インテリジェント端末上のタッチオペレーションに基づいてコンポーネントを移動させる従来のオペレーションを置換するために使用される、デスクトップコンテナの切り替えを制御するための方法および端末を提供する。本発明の解決手法が実施された後、特に１つの手で大きなスクリーンの端末を操作することに慣れたユーザに対して、コンポーネントをタッチおよびホールドするとともに前記コンポーネントをドラッグすることによって引き起こされるユーザの手の疲労は回避されることが出来るとともに、端末を落とす危険が減少され、それによって前記ユーザのオペレーションエクスペリエンスを改善する。
【課題を解決するための手段】
【０００７】
デスクトップコンテナの切り替えを制御するための方法は、コンポーネントに基づく動きイベントがアクティブになった時に、端末によって移動判定情報を取得するステップと、前記移動判定情報にしたがって、前記端末によって前記端末の移動状態を識別するステップと、前記移動状態にしたがって、前記端末によって現在表示されたデスクトップ・コンテナ・ページを切り替えるとともに、前記動きイベントに基づいて、前記切り替えるステップの後に表示されたデスクトップ・コンテナ・ページへコンポーネントを移動させるステップと、を含む。
【０００８】
端末は、コンポーネントに基づく動きイベントがアクティブになった時に前記端末の移動判定情報を取得するように構成される移動判定情報取得ユニットと、前記移動判定情報にしたがって、前記端末の移動状態を識別するように構成される移動状態識別ユニットと、前記移動状態にしたがって、現在表示されたデスクトップ・コンテナ・ページを切り替えるとともに、前記動きイベントに基づいて前記切り替えの後に表示されたデスクトップ・コンテナ・ページへコンポーネントを移動するように構成される、ページ切替ユニットと、を含む。
【０００９】
前記本発明の態様が下記の有利な点を有することを前述の技術的解決手法から知ることができる。
【００１０】
タッチオペレーションに基づくスクリーンジェスチャ、またコンポーネントを別のページへ移動する機能を実施する代わりに、端末は、コンポーネントに基づく動きイベントがアクティブになった後に移動判定情報を取得し、前記移動判定情報にしたがって前記端末の移動状態を識別し、かつ前記移動状態にしたがってページを切り替えることを開始する。前記コンポーネントをタッチおよびホールドするとともに前記コンポーネントをドラッグする必要なしで、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【図面の簡単な説明】
【００１１】
【図１】図１は、従来技術によるコンポーネントを別のページへ移動する方法の概要図である。
【図２】図２は、本発明の第１の実施形態によるデスクトップコンテナの切り替えを制御する方法のフローチャートである。
【図３】図３は、本発明の第２の実施形態によるデスクトップコンテナの切り替えを制御する方法のフローチャートである。
【図４】図４は、本発明によるコンポーネントを別のページへ移動する方法の概要図である。
【図５】図５は、本発明の第３の実施形態によるデスクトップコンテナの切り替えを制御する方法の端末に関する構造図である。
【図６】図６は、本発明の第４の実施形態によるデスクトップコンテナの切り替えを制御する方法の端末に関する構造図である。
【発明を実施するための形態】
【００１２】
以降では、本発明の明細書に添付の図面を参照して、本発明における技術的解決手法を明確かつ十分に説明する。明確に、以下に説明される実施形態は、単に本発明の実施形態の一部に過ぎず、全てではない。本発明の実施形態に基づいて、当業者によって創造的な努力なしに取得可能な全ての実施形態は、本発明の保護範囲内に入る。
【００１３】
前記本発明の実施形態は、インテリジェント端末上のタッチオペレーションに基づくコンポーネントを移動する従来のオペレーションを置換するために使用される、デスクトップコンテナの切り替えを制御するための方法を提供する。本発明の解決手法が実施された後、特に１つの手で大きなスクリーンの端末を操作することに慣れたユーザに対して、ユーザの手の疲労は、回避される。加えて本発明は、前記端末をしっかりホールドすることが招かれるとともに、端末を落とす危険を減少させ、それによって前記ユーザのオペレーションエクスペリエンスを改善する。前記本発明の実施形態は、前記方法に対応する端末をさらに提供する。前記方法および前記端末は、以降で詳細に、独立して説明される。
【００１４】
本発明の第１の実施形態において、デスクトップコンテナの切り替えを制御するための方法が詳細に説明される。図２は、以下のステップを含む前記切り替えを制御するための方法の具体的なプロセスを図示する。
【００１５】
ステップ２０１：コンポーネントに基づく動きイベントがアクティブになった時に、端末が、移動判定情報を取得するステップ。
【００１６】
前記端末は、前記デスクトップコンテナのページを表示しているとともに、前記ページ上に少なくとも１つのコンポーネントが存在するものとする。ユーザが、前記デスクトップコンテナの前記現在のページから別のページへいずれかのコンポーネントを移動させることを望む場合、コンポーネントに基づく動きイベントは、最初にアクティブになる必要がある。
【００１７】
このステップにおいて、前記ユーザは、前記コンポーネントに基づく動きイベントを能動的にアクティブにする。前記コンポーネントに基づく動きイベントにおいて、前記ユーザが別のページへ移動させることを望む前記コンポーネントは、ターゲットコンポーネントとして参照される。この実施形態において、前記動きイベントをアクティブにする手法は、特に限定されないが、以降の実施形態において好ましい解決手法が提供される。
【００１８】
前記コンポーネントに基づく動きイベントがアクティブになった時、前記端末は、前記移動判定情報を取得し、前記移動判定情報は、前記端末の移動状態を識別するために使用される。前記移動状態は、端末本体の動的移動に基づく移動を参照するとともに、タッチオペレーションに基づくスクリーンジェスチャとは異なる。
【００１９】
ステップ２０２：前記端末が、前記移動判定情報にしたがって前記端末の移動状態を識別するステップ。
【００２０】
このステップにおいて、ステップ２０１において取得された前記移動判定情報にしたがって前記移動状態の識別解析を実行することによって、前記端末は、前記端末の移動状態を識別することができる。識別手法によって取得された前記移動状態は、デスクトップ・コンテナ・ページの切り替えを制御するために使用されるとともに、前記移動状態の機能は、タッチスクリーンによって識別されたスクリーンジェスチャの機能と類似している。関連した説明のために、前記背景における関連情報を参照してもよい。
【００２１】
端末の移動状態を識別するステップの原理は、センサによって送信されたデータを用いて前記端末の移動状態を包括的に識別し、ここで言及される前記センサによって送信された前記データは、この実施形態に記載の前記移動判定情報である。たとえば、加速度センサは、前記端末の移動が静止しているか、あるいは加速移動しているか等を識別するために使用でき、重力センサは、前記端末が、横（ｌａｎｄｓｃａｐｅ）モードまたは縦（ｐｏｒｔｒａｉｔ）モードで置かれているかを識別するために使用することができ、ジャイロスコープセンサは、三次元空間の全ての方向における、前記端末の傾き角度を識別するために使用することができる。この実施形態において、前記移動状態の形式および使用されるセンサは、具体的に限定されず、以降の実施形態において好ましい解決手法が提供される。
【００２２】
ステップ２０３：前記端末が、前記移動状態にしたがって現在表示されたデスクトップ・コンテナ・ページを切り替えるとともに、前記動きイベントにおける前記コンポーネントを前記切り替えの後に表示されたデスクトップ・コンテナ・ページへ移動するステップ。
【００２３】
このステップにおいて、前記端末は、ステップ２０２において識別された前記移動状態にしたがって前記現在表示されたデスクトップ・コンテナ・ページを切り替える。前記切り替えるステップは、予め設定された方向の隣接ページへ切り替えるステップと、前記予め設定された方向と逆方向の隣接ページへ切り替えるステップとを含む。たとえば、具体的には、前のページへ切り替えるステップと、次のページへ切り替えるステップであってもよく、各移動状態は、ページへの切り替えに対応する。
【００２４】
前記ユーザが、前記デスクトップ・コンテナ・ページをターゲットページへ切り替えた後、前記端末は、前記動きイベントにおける前記ターゲットコンポーネントを前記切り替えるステップの後に表示された前記デスクトップ・コンテナ・ターゲットページへ移動する。
【００２５】
この実施形態において、コンポーネントに基づく動きイベントがアクティブになった後、端末は、移動判定情報を取得することを開始し、前記移動判定情報にしたがって前記端末の移動状態を識別し、タッチオペレーションに基づくスクリーンジェスチャの代わりに、前記移動状態にしたがってページを切り替え、コンポーネントを別のページへ移動する機能も実施する。前記コンポーネントをタッチおよびホールドする必要なしかつ前記コンポーネントをドラッグする必要がないので、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【００２６】
本発明の第２の実施形態において、前記第１の実施形態において説明された前記デスクトップコンテナの切り替えを制御するための方法の補足の説明が与えられる。図３は、以下のステップを含むこの実施形態において説明された前記切り替えを制御するための方法の具体的なプロセスを図示する。
【００２７】
ステップ３０１：端末の現在表示されたデスクトップ・コンテナ・ページ上において、事前に設定された時間を超える時間の間、タッチまたはホールドされたいずれかのコンポーネントが存在するときに、コンポーネントに基づく動きイベントがアクティブになったと判定されるステップ。
【００２８】
前記端末は、前記デスクトップコンテナのページを表示しているとともに、前記ページ上には少なくとも１つのコンポーネントが存在しているものとする。ユーザが、前記デスクトップコンテナの前記現在のページから別のページへいずれかのコンポーネントを移動させることを望む場合、コンポーネントに基づく動きイベントは、最初にアクティブになる必要がある。
【００２９】
このステップにおいて、前記ユーザは、前記コンポーネントに基づく動きイベントを能動的にアクティブにする。前記コンポーネントに基づく動きイベントにおけるコンポーネントであるとともに前記ユーザによって別のページへ移動される必要のある前記コンポーネントは、ターゲットコンポーネントとして参照される。
【００３０】
好ましくは、前記動きイベントをアクティブにする手法は、さらに、ダブルタップされたいずれかのコンポーネントが前記端末の前記現在表示されたデスクトップコンテナ上に存在するときに、前記コンポーネントに基づく動きイベントがアクティブになったことを判定するステップであってもよい。明確に、前記動きイベントを前記アクティブにする手法は、この実施形態において提供される２つの手法に限定されない。
【００３１】
ステップ３０２：前記端末は、ジャイロスコープセンサを使用することによって傾きラジアン情報を取得するとともに、加速度センサを取得することによって加速度情報を取得する。
【００３２】
前記コンポーネントに基づく動きイベントがアクティブになった時に、前記端末は、移動判定情報を取得する。前記移動判定情報が前記端末の移動状態を識別するために使用されることが、本発明の第１の実施形態において言及され、前記移動状態は、端末本体の動的移動に基づく移動を参照するとともに、タッチオペレーションに基づくスクリーンジェスチャとは異なる。
【００３３】
前記移動判定情報は、前記傾きラジアン情報および前記加速度情報を含み、前記傾きラジアン情報は、前記端末の現在の傾きラジアンを判定するために使用され、前記加速度情報は、前記傾きラジアン情報を訂正するために使用される。前記２つの情報は、前記端末の前記ジャイロスコープセンサおよび前記加速度センサを使用することによって、独立して取得される。
【００３４】
従来技術において、前記ジャイロスコープセンサは、ｘ、ｙ、およびｚの３つの軸を含む。前記ジャイロスコープセンサの出力データは、前記３つの軸の周囲を回転する角速度の値である。前記端末が縦モードで置かれた時、前記縦モードの方向は、前記ジャイロスコープセンサの前記ｙ軸の方向である。前記端末が左に傾くとき、または右に傾く時に偏位角度を取得するために、前記端末が左または右に傾くとともに復元する時、前記ジャイロスコープセンサは、ある時間外の（ｏｖｅｒｔｉｍｅ）前記ｙ軸の周囲を回転する前記角速度を統合してもよい。前記偏位角度は、前記端末が縦モードで置かれた時、前記端末が左または右に傾く時のラジアンを参照する。したがって、前記端末が縦モードで置かれた時、左に傾いた、及び右に傾いた前記移動状態は、前記ジャイロスコープセンサの特徴値を使用することによって識別されることができる。
【００３５】
加えて、前記ジャイロスコープセンサが動作する時、絶対的な基準座標システムが存在しないため、前記ジャイロスコープセンサの統合オペレーションは、エラーを蓄積してもよく、かつ長時間のエラーの蓄積は、前記端末によって読み取られる不正確なデータの原因となりうる。したがって、従来技術において、前記加速度センサは、前記ジャイロスコープセンサを訂正するために一般的に使用され、すなわち、前記加速度センサによって取得された加速度情報は、前記ジャイロスコープセンサによって取得された傾きラジアン情報を訂正するために使用される。
【００３６】
前記加速度センサが前記ジャイロスコープセンサを訂正する原理は、具体的には以下のようなものである。
【００３７】
前記ジャイロスコープセンサは、角加速度を検出するために使用されるとともに、したがって、前記ジャイロスコープセンサが静止しているとき、理論上、前記ジャイロスコープセンサは、出力を有さない。しかしながら、実際の適用において、ドリフト現象（ｄｒｉｆｔｉｎｇ  ｐｈｅｎｏｍｅｎｏｎ）が、前記ジャイロスコープセンサに対して発生する傾向があり、すなわち、前記ジャイロスコープセンサが静止している時、前記ジャイロスコープセンサは今まで通りに出力を有する。しかしながら、前記加速度センサは、安定しているとともに、ドリフト現象は、発生しない。前記端末が静止しているものとすると、前記端末が静止していることが前記加速度センサを使用することによって正確に検出されることができる。この場合、前記ジャイロスコープセンサが出力を有する場合、前記ジャイロスコープセンサに対してドリフト現象が発生していることを示す。この場合、前記ジャイロスコープセンサによって出力された値は、ドリフト値であり、計算におけるエラーの訂正計算のために用いられてもよい。
【００３８】
ステップ３０３：前記傾きラジアン情報および前記加速度情報にしたがって、前記端末の移動状態が左傾き復元か右傾き復元かを識別するステップ。
【００３９】
このステップにおいて、前記端末は、ステップ３０２において取得された前記傾きラジアン情報および前記加速度情報にしたがって前記移動状態の識別解析を実行することによって前記端末の移動状態を識別することができ、前記端末の移動状態は、前記左傾き復元および前記右傾き復元を含む。識別手法によって取得された前記移動状態は、デスクトップ・コンテナ・ページの切り替えを制御するために使用されるとともに、前記移動状態の機能は、タッチスクリーンによって識別されるスクリーンジェスチャの機能に類似している。関連した説明のために、前記背景における関連情報を参照してもよい。
【００４０】
前記端末の前記左傾き復元または前記右傾き復元を識別するステップの原理は、具体的には以下のようなものである。
【００４１】
最初に前記端末が縦モードで置かれた時、ステップ３０２において取得された前記傾きラジアン情報は、前記端末の現在の左傾きラジアンまたは右傾きラジアンを判定するために使用される。前記傾きラジアンが予め設定された値を超えた時、前記現在の左傾きまたは右傾きの期間は、予め設定された値よりも小さいかどうかも判定される。そうであるなら、現在の前記端末の移動状態が、左傾き復元または右傾き復元であることが判定される。前記予め設定された値は、実際条件にしたがって調節さてもよく、かつ前記移動状態を識別するための感度を表現してもよい。図４を参照すると、前記移動状態を決定するステップの具体例は、以下のようなものである。
【００４２】
端末４０は、デスクトップコンテナ４１と、コンポーネント４２と、ページディバイダー４３と、を含み、前記ページディバイダー４３の４つの円は、前記デスクトップコンテナ４１に対応する４つのページを表現する。時刻Ｔにおいて、ユーザは、前記コンポーネント４２をタッチおよびホールドするとともに、前記端末を前記左に傾ける。前記左傾きの傾き角度の最大値は、１７度である。ある時間の期間の後（たとえば、１秒後）、前記端末は、縦モードにおける配置状態へ回復される。傾きラジアン判定に対して予め設定された値が１５度であるとともに、期間判定に対して予め設定された値が２秒であるものとする。前記現在の移動状態の前記左傾きラジアンが１７度であるとともに前記傾きの期間が１秒であるので、前記現在の前記端末の移動状態が前記左傾き復元であることが判定されることができる。したがって、前記端末は、前記デスクトップコンテナ４１の前記現在のページの次のページへ前記コンポーネント１２を移動する。
【００４３】
ステップ３０４：前記端末は、前記左傾き復元または前記右傾き復元の識別された移動状態にしたがって前記現在表示されたデスクトップ・コンテナ・ページを切り替えるとともに、前記切り替えるステップの後に表示されたデスクトップ・コンテナ・ページへ前記動きイベントにおける前記コンポーネントを移動する。
【００４４】
このステップにおいて、前記端末がステップ３０３において識別された前記左傾き復元または前記右傾き復元の前記移動状態にしたがって前記現在表示されたデスクトップ・コンテナ・ページを切り替えるステップは、具体的には以下の通りである。
【００４５】
このステップにおいて、前記端末の移動状態が、前記左傾き復元であるとき、前記端末の前記現在表示されたデスクトップ・コンテナ・ページは、予め設定された方向の隣接ページへ切り替えられるとともに、具体的には前のページへ切り替えられてもよい。そして、前記端末の移動状態が、前記右傾き復元であるとき、前記端末の前記現在表示されたデスクトップ・コンテナ・ページは、前記予め設定された方向と逆方向の隣接ページへ切り替えられるとともに、具体的には次のページへ切り替えられてもよい。
【００４６】
前記ユーザが、前記デスクトップ・コンテナ・ページをターゲットページへ切り替えた後、前記端末は、前記動きイベントにおける前記ターゲットコンポーネントを前記切り替えるステップの後に表示された前記デスクトップコンテナ・ターゲットページへ移動する。
【００４７】
この実施形態において、事前に設定された時間を越える時間の間タッチまたはホールドされたいずれかのコンポーネントがページ上に存在する時、端末は、傾きラジアン情報および加速度情報を取得することを開始し、前記傾きラジアン情報および前記加速度情報にしたがって前記端末の移動状態が左傾き復元か、右傾き復元かを識別し、かつ前記左傾き復元または前記右傾き復元にしたがって前記ページを切り替える。それは、タッチオペレーションに基づくスクリーンジェスチャの代わりに、別のページへコンポーネントを移動させる機能も実施する。前記コンポーネントをタッチおよびホールドする必要なしかつ前記コンポーネントをドラッグする必要がないので、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【００４８】
本発明の第３の実施形態において、前記第１の実施形態において提供された前記方法に対応する端末が詳細に説明される。前記端末は、前述の方法における１以上のステップを実施するために構成される１以上のユニットを含む。したがって、前記方法における全てのステップの説明は、前記端末の対応するユニットに適用できる。図５は、以下を含むこの実施形態における前記端末の具体的な構造を図示する。
【００４９】
移動判定情報取得ユニット５０１は、コンポーネントに基づく動きイベントがアクティブになった時に前記端末の移動判定情報を取得するように構成される。
【００５０】
前記端末は、前記デスクトップコンテナのページを表示しているとともに、前記ページ上に少なくとも１つのコンポーネントが存在するものとする。ユーザが、前記デスクトップコンテナの前記現在のページから別のページへいずれかのコンポーネントを移動することを望む場合、コンポーネントに基づく動きイベントは、最初にアクティブになる必要がある。
【００５１】
前記ユーザは、前記コンポーネントに基づく動きイベントを能動的にアクティブにする。前記コンポーネントに基づく動きイベントにおけるものであるとともに前記ユーザによって別のページへ移動される必要がある前記コンポーネントは、ターゲットコンポーネントとして参照される。この実施形態において、前記動きイベントをアクティブにする手法は、具体的に限定されないが、以降の実施形態において好ましい解決手法が提供される。
【００５２】
前記コンポーネントに基づく動きイベントがアクティブになったとき、前記移動判定情報取得ユニット５０１は、前記移動判定情報を取得し、前記移動判定情報は、前記端末の移動状態を識別するために使用される。前記移動状態は、端末本体の動的移動に基づく移動を参照するとともに、タッチオペレーションに基づくスクリーンジェスチャとは異なる。
【００５３】
移動状態識別ユニット５０２は、前記移動判定情報取得ユニット５０１との通信接続において、前記端末の移動状態を前記移動判定情報にしたがって識別するように構成される。
【００５４】
前記移動状態識別ユニット５０２は、前記移動判定情報取得ユニット５０１によって取得された前記移動判定情報にしたがって前記移動状態の識別解析を実施することによって前記端末の移動状態を識別可能である。識別によって取得された前記移動状態は、デスクトップ・コンテナ・ページの切り替えを制御するために使用されるとともに、前記移動状態の機能は、タッチスクリーンによって識別されたスクリーンジェスチャの機能と同様である。関連した説明のために、前記背景における関連情報を参照してもよい。
【００５５】
前記移動状態識別ユニット５０２による前記端末の移動状態を識別する原理は、センサによって送信されたデータを使用することによって前記端末の移動状態を包括的に識別することであって、ここで言及された前記センサによって送信された前記データは、この実施形態において説明された前記移動判定情報である。たとえば、加速度センサは、前記端末の移動が静止または加速移動等であるかを識別するために使用されることができ、重力センサは、前記端末が横モードまたは縦モードで置かれているかを識別するために使用でき、かつジャイロスコープセンサは、三次元空間の全ての方向における前記端末の傾き角度を識別するために使用される。この実施形態において、前記移動状態の形式および使用されるセンサは、具体的に限定されないが、以降の実施形態において好ましい解決手法が提供される。
【００５６】
ページ切替ユニット５０３は、前記移動状態識別ユニット５０２との通信接続において、前記移動状態にしたがって現在表示されたデスクトップ・コンテナ・ページを切り替えるとともに、前記動きイベントにおける前記コンポーネントを前記切り替えるステップの後に表示されたデスクトップ・コンテナ・ページへ移動するように構成される。
【００５７】
前記ページ切替ユニット５０３は、前記移動状態識別ユニット５０２によって識別された前記移動状態にしたがって前記現在表示されたデスクトップ・コンテナ・ページを切り替える。前記切り替えるステップは、予め設定された方向の隣接ページへ切り替えるステップと、前記予め設定された方向と逆方向の隣接ページへ切り替えるステップとを含み、具体的には前のページへ切り替えるステップおよび次のページへ切り替えるステップであってもよく、各移動状態は、ページへ切り替えるステップに対応する。
【００５８】
この実施形態において、前記移動判定情報取得ユニット５０１は、コンポーネントに基づく動きイベントがアクティブになった後に移動判定情報を取得することを開始し、前記移動状態識別ユニット５０２は、前記移動判定情報にしたがって前記端末の移動状態を識別し、かつ前記ページ切替ユニット５０３は、タッチオペレーションに基づくスクリーンジェスチャの代わりに、ページを切り替えるとともに、前記移動状態にしたがって前記コンポーネントを移動し、別のページへコンポーネントを移動させる機能も実施する。前記コンポーネントをタッチおよびホールドする必要がなしかつ前記コンポーネントをドラッグする必要がないので、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【００５９】
本発明の第４の実施形態において、前記第３の実施形態において提供された前記端末の補足の説明が与えられる。この実施形態における前記端末は、前述の方法における１以上のステップを実施するように構成された１以上のユニットを含む。したがって、前記方法における全てのステップの説明は、前記端末の対応するユニットに適用可能である。図６は、以下を含むこの実施形態における前記端末の具体的な構造を図示する。
【００６０】
動きイベント・アクティベート・ユニット６０１は、事前に設定された時間を越える時間の間タッチおよびホールドされたいずれかのコンポーネントが、前記端末の現在表示されたデスクトップ・コンテナ・ページ上に存在する時、コンポーネントに基づく動きイベントがアクティブになったことが判定されるように構成される。
【００６１】
前記端末は、前記デスクトップコンテナのページを表示しているとともに、少なくとも１つのコンポーネントは、前記ページ上に存在しているものとする。いずれかのコンポーネントを前記デスクトップコンテナの前記現在のページから別のページへ移動することを望む場合、コンポーネントに基づく動きイベントは、最初にアクティブになる必要がある。
【００６２】
前記ユーザは、前記コンポーネントに基づく動きイベントを能動的にアクティブにするとともに、前記動きイベント・アクティベート・ユニット６０１は、前記イベントを判定する。前記コンポーネントに基づく動きイベントにおけるものであるとともに、前記ユーザによって別のページへ移動される必要がある前記コンポーネントは、ターゲットコンポーネントとして参照される。
【００６３】
好ましくは、前記動きイベント・アクティベート・ユニット６０１は、ダブルタップされたいずれかのコンポーネントが前記端末の前記現在表示されたデスクトップコンテナ上に存在する時、前記コンポーネントに基づく動きイベントがアクティブになったことを判定するようにさらに構成されてもよい。明確に、この実施形態において動きイベントを前記アクティブにする手法は、この実施形態において提供された２つの手法に限定されない。
【００６４】
移動判定情報取得ユニット６０２は、前記動きイベント・アクティベート・ユニット６０１との通信接続において、前記コンポーネントに基づく動きイベントがアクティブになった時に前記端末の移動判定情報を取得するように構成される。
【００６５】
前記移動判定情報取得ユニット６０２は、傾きラジアン情報取得ユニット６０２１および加速度情報取得ユニット６０２２をさらに含む。
【００６６】
前記コンポーネントに基づく動きイベントがアクティブになった時に前記端末は、前記移動判定情報を取得する。前記移動判定情報が前記端末の移動状態を識別するために使用されることが、前記本発明の第３の実施形態において言及される。前記移動状態は、端末本体の動的移動に基づく移動を参照するとともに、タッチオペレーションに基づくスクリーンジェスチャとは異なる。
【００６７】
前記移動判定情報は、前記傾きラジアン情報および前記加速度情報を含み、前記傾きラジアン情報は、前記端末の現在の傾きラジアンを判定するために使用されるとともに、前記加速度情報は、前記傾きラジアン情報を訂正するために使用される。前記２つの情報は、前記端末の前記傾きラジアン情報取得ユニット６０２１および前記加速度情報取得ユニット６０２２によって独立して取得される。
【００６８】
前記傾きラジアン情報取得ユニット６０２１は、ジャイロスコープセンサを使用することによって前記傾きラジアン情報を取得するように構成され、前記傾きラジアン情報は、前記端末の前記現在の傾きラジアンを判定するために使用される。
【００６９】
前記加速度情報取得ユニット６０２２は、前記傾きラジアン情報取得ユニット６０２１との通信接続において、加速度センサを使用することによって前記加速度情報を取得するように構成され、前記加速度情報は、前記傾きラジアン情報を訂正するために使用される。
【００７０】
従来技術における前記ジャイロスコープセンサおよび前記加速度センサの操作原理のために、前記本発明の第２の実施形態のステップ３０２における関連情報を参照してもよく、かつ詳細な説明は、ここでは繰り返さない。
【００７１】
移動状態識別ユニット６０３は、前記移動判定情報取得ユニット６０２との通信接続において、前記傾きラジアン情報および前記加速度情報にしたがって、前記端末の移動状態が左傾き復元か右傾き復元科を識別するように構成される。
【００７２】
前記移動状態識別ユニット６０３は、前記移動判定情報取得ユニット６０２によって取得された前記傾きラジアン情報および前記加速度情報にしたがって前記移動状態の識別解析を実行することによって前記端末の移動状態を識別することができる。前記端末の移動状態は、前記左傾き復元および前記右傾き復元を含む。識別によって取得された前記移動状態は、デスクトップ・コンテナ・ページの切り替えを制御するために使用されるとともに、前記移動状態の機能は、タッチスクリーンによって識別されたスクリーンジェスチャの機能と同様である。関連した説明のために、前記背景における関連情報を参照してもよい。
【００７３】
加えて、前記端末の前記左傾き復元または前記右傾き復元の前記移動状態を識別する原理のために、前記本発明の第２の実施形態のステップ３０３における関連情報を参照してもよく、かつ詳細な説明は、ここでは繰り返さない。
【００７４】
ページ切替ユニット６０４は、前記移動状態識別ユニット６０３との通信接続において、前記移動状態にしたがって現在表示されたデスクトップ・コンテナ・ページを切り替えるとともに、前記動きイベントに基づいて前記コンポーネントを、前記切り替えるステップの後に表示されたデスクトップ・コンテナ・ページへ移動する用に構成される。前記ページ切替ユニット６０４は、さらに以下を含む。
【００７５】
第１ページ切替サブユニット６０４１は、前記端末の移動状態が前記左傾き復元である時、前記端末の前記現在表示されたデスクトップ・コンテナ・ページを予め設定された方向の隣接ページへ切り替えるように構成され、前記切り替えは、具体的には前のページへの切り替えであってもよい。
【００７６】
第２ページ切替サブユニット６０４２は、前記端末の移動状態が前記右傾き復元である時、前記端末の前記現在表示されたデスクトップ・コンテナ・ページを前記予め設定された方向と逆方向の隣接ページへ切り替えるように構成され、前記切り替えは、具体的には次のページへの切り替えであってもよい。
【００７７】
この実施形態において、前記動きイベント・アクティベート・ユニット６０１が事前に設定された時間を越える時間の間タッチおよびホールドされたいずれかのコンポーネントがページ上に存在することを判定した時、前記移動判定情報取得ユニット６０２は、傾きラジアン情報および加速度情報の取得を開始し、前記移動状態識別ユニット６０３は、前記傾きラジアン情報および前記加速度情報にしたがって、前記端末の移動状態が左傾き復元か右傾き復元かを識別し、かつ前記ページ切替ユニット６０４は、タッチオペレーションに基づくスクリーンジェスチャの代わりに、前記左傾き復元または前記右傾き復元にしたがって前記ページを切り替え、別のページへコンポーネントを移動させる機能も実施する。前記コンポーネントをタッチおよびホールドする必要なしかつ前記コンポーネントをドラッグする必要がないので、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【００７８】
当業者は、前記実施形態における方法のステップの全てまたは一部が関連するハードウェアに指示するプログラムによって実施されることを理解しうる。前記プログラムは、コンピュータ読み取り可能記憶媒体に記憶されてもよい。前記記憶媒体は、読み取り専用メモリ、磁気ディスク、光学ディスク等であってもよい。
【００７９】
本発明によって提供されるデスクトップコンテナの切り替えを制御するための方法および端末は、上記において詳細に説明され、当業者は、前記本発明の実施形態の着想に基づく具体的な実施形態の手法および適用範囲を変更してもよく、要するに、本明細書は、本発明の限定として見なされるべきではない。
【符号の説明】
【００８０】
１０、４０  端末
１１、４１  デスクトップコンテナ
１２、４２  コンポーネント
１３、４３  ページディバイダー
５０１  移動判定情報取得ユニット
５０２  移動状態識別ユニット
５０３  ページ切替ユニット
６０１  動きイベント・アクティベート・ユニット
６０２  移動判定情報取得ユニット
６０３  移動状態識別ユニット
６０４  ページ切替ユニット
６０２１  ラジアン情報取得ユニット
６０２２  加速度情報取得ユニット
６０４１  第１ページ切替サブユニット
６０４２  第２ページ切替サブユニット
【図１】
2015506518.tif 000003
【図２】
2015506518.tif 000004
【図３】
2015506518.tif 000005
【図４】
2015506518.tif 000006
【図５】
2015506518.tif 000007
【図６】
2015506518.tif 000008
【手続補正書】
【提出日】平成26年7月23日(2014.7.23)
【手続補正１】
【補正対象書類名】明細書
【補正対象項目名】全文
【補正方法】変更
【補正の内容】
【発明の詳細な説明】
【技術分野】
【０００１】
本発明は、端末技術の分野、特に、デスクトップ・コンテナ・ページの切り替えを制御するための方法および端末に関する。
【背景技術】
【０００２】
インテリジェント端末ＯＳ（オペレーティングシステム（Ｏｐｅｒａｔｉｎｇ  Ｓｙｓｔｅｍ））は、デスクトップコンテナを含むとともに、前記デスクトップコンテナは、コンポーネントを配置するために使用される。前記デスクトップコンテナは、複数のページを含んでもよい。前記デスクトップコンテナがアクセスされたとき、第１ページが最初に表示される。前記デスクトップコンテナの前記第１ページは、前記デスクトップコンテナのメインページとして参照もされる。他のページは、第２ページ、第３ページ等として連続的に配列される。全タッチ端末（ａｌｌ−ｔｏｕｃｈ  ｔｅｒｍｉｎａｌ）は、物理的なナビゲーションキーを全く提供せず、且ついくつかのオペレーションキーを置換するためのタッチオペレーションに基づいたスクリーンジェスチャを使用する。ユーザは、タッチスクリーン上で右にフリックすることによって前のページへページを切り替えるとともに、左にフリックすることによって次のページへ切り替える。
【０００３】
現在、前記ユーザが、あるコンポーネントを現在のページから別のページへ移動することを必要とするとき、前記ユーザは、前記現在のページ上の前記コンポーネントをタッチおよびホールドする。前記コンポーネント移動の操作がトリガした後、前記デスクトップコンテナの前記ページが、前のページへ切り替わるか、あるいは次のページへ切り替わるように、前記現在のページの左端または右端へ前記コンポーネントをドラッグし、前記ページがターゲットページへ切り替わるまでタッチおよびホールドされた前記コンポーネントをリリースする。図１を参照すると、端末１０は、デスクトップコンテナ１１、コンポーネント１２、ページディバイダー１３を含み、前記ページディバイダー１３の４つの円は、前記デスクトップコンテナ１１に対応する４つのページを表現する。前記コンポーネント１２を前記現在のページの前のページまたは次のページへ移動するために、ユーザは、前記コンポーネント１２をタッチおよびホールドするとともに、前記コンポーネント１２を現在のページの左端または右端へドラッグする。
【０００４】
しかしながら、１つの手で大きなスクリーンの端末を操作することに慣れたユーザに対して、タッチオペレーションに基づくコンポーネントを移動させる前記操作は、すなわち、前記コンポーネントをタッチおよびホールドするとともに前記コンポーネントをドラッグすることは、親指に高圧力をもたらすとともに容易に前記ユーザの手の疲労を引き起こす。加えて、前記親指は、前記端末をしっかりと持つことの助けにならず、かつ端末を落とす危険が増加する大きなスクリーン上でフリックを行うために必要である。前述の二つの事実は、前記ユーザのオペレーションエクスペリエンスを低下させる。
【発明の概要】
【発明が解決しようとする課題】
【０００５】
前述の問題を解決するために、本発明の態様は、インテリジェント端末上のタッチオペレーションに基づいてコンポーネントを移動させる従来のオペレーションを置換するために使用される、デスクトップ・コンテナ・ページの切り替えを制御するための方法および端末を提供する。本発明の解決手法が実施された後、特に１つの手で大きなスクリーンの端末を操作することに慣れたユーザに対して、コンポーネントをタッチおよびホールドするとともに前記コンポーネントをドラッグすることによって引き起こされるユーザの手の疲労は回避されることが出来るとともに、端末を落とす危険が減少され、それによって前記ユーザのオペレーションエクスペリエンスを改善する。
【課題を解決するための手段】
【０００６】
デスクトップ・コンテナ・ページの切り替えを制御するための方法は、コンポーネントに基づく動きイベントがアクティブになった時に、端末によって移動判定情報を取得するステップと、前記移動判定情報にしたがって、前記端末によって前記端末の移動状態を識別するステップと、前記移動状態にしたがって、前記端末によって現在表示されたデスクトップ・コンテナ・ページを切り替えるとともに、前記動きイベントに基づいて、前記切り替えるステップの後に表示されたデスクトップ・コンテナ・ページへコンポーネントを移動させるステップと、を含む。
【０００７】
端末は、コンポーネントに基づく動きイベントがアクティブになった時に前記端末の移動判定情報を取得するように構成される移動判定情報取得ユニットと、前記移動判定情報にしたがって、前記端末の移動状態を識別するように構成される移動状態識別ユニットと、前記移動状態にしたがって、現在表示されたデスクトップ・コンテナ・ページを切り替えるとともに、前記動きイベントに基づいて前記切り替えの後に表示されたデスクトップ・コンテナ・ページへコンポーネントを移動するように構成される、ページ切替ユニットと、を含む。
【０００８】
前記本発明の態様が下記の有利な点を有することを前述の技術的解決手法から知ることができる。
【０００９】
タッチオペレーションに基づくスクリーンジェスチャ、またコンポーネントを別のページへ移動する機能を実施する代わりに、端末は、コンポーネントに基づく動きイベントがアクティブになった後に移動判定情報を取得し、前記移動判定情報にしたがって前記端末の移動状態を識別し、かつ前記移動状態にしたがってページを切り替えることを開始する。前記コンポーネントをタッチおよびホールドするとともに前記コンポーネントをドラッグする必要なしで、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【図面の簡単な説明】
【００１０】
【図１】図１は、従来技術によるコンポーネントを別のページへ移動する方法の概要図である。
【図２】図２は、本発明の第１の実施形態によるデスクトップ・コンテナ・ページの切り替えを制御する方法のフローチャートである。
【図３】図３は、本発明の第２の実施形態によるデスクトップ・コンテナ・ページの切り替えを制御する方法のフローチャートである。
【図４】図４は、本発明によるコンポーネントを別のページへ移動する方法の概要図である。
【図５】図５は、本発明の第３の実施形態によるデスクトップ・コンテナ・ページの切り替えを制御する方法の端末に関する構造図である。
【図６】図６は、本発明の第４の実施形態によるデスクトップ・コンテナ・ページの切り替えを制御する方法の端末に関する構造図である。
【発明を実施するための形態】
【００１１】
以降では、本発明の明細書に添付の図面を参照して、本発明における技術的解決手法を明確かつ十分に説明する。明確に、以下に説明される実施形態は、単に本発明の実施形態の一部に過ぎず、全てではない。本発明の実施形態に基づいて、当業者によって創造的な努力なしに取得可能な全ての実施形態は、本発明の保護範囲内に入る。
【００１２】
前記本発明の実施形態は、インテリジェント端末上のタッチオペレーションに基づくコンポーネントを移動する従来のオペレーションを置換するために使用される、デスクトップ・コンテナ・ページの切り替えを制御するための方法を提供する。本発明の解決手法が実施された後、特に１つの手で大きなスクリーンの端末を操作することに慣れたユーザに対して、ユーザの手の疲労は、回避される。加えて本発明は、前記端末をしっかりホールドすることが招かれるとともに、端末を落とす危険を減少させ、それによって前記ユーザのオペレーションエクスペリエンスを改善する。前記本発明の実施形態は、前記方法に対応する端末をさらに提供する。前記方法および前記端末は、以降で詳細に、独立して説明される。
【００１３】
本発明の第１の実施形態において、デスクトップ・コンテナ・ページの切り替えを制御するための方法が詳細に説明される。図２は、以下のステップを含む前記切り替えを制御するための方法の具体的なプロセスを図示する。
【００１４】
ステップ２０１：コンポーネントに基づく動きイベントがアクティブになった時に、端末が、移動判定情報を取得するステップ。
【００１５】
前記端末は、前記デスクトップコンテナのページを表示しているとともに、前記ページ上に少なくとも１つのコンポーネントが存在するものとする。ユーザが、前記デスクトップコンテナの前記現在のページから別のページへいずれかのコンポーネントを移動させることを望む場合、コンポーネントに基づく動きイベントは、最初にアクティブになる必要がある。
【００１６】
このステップにおいて、前記ユーザは、前記コンポーネントに基づく動きイベントを能動的にアクティブにする。前記コンポーネントに基づく動きイベントにおいて、前記ユーザが別のページへ移動させることを望む前記コンポーネントは、ターゲットコンポーネントとして参照される。この実施形態において、前記動きイベントをアクティブにする手法は、特に限定されないが、以降の実施形態において好ましい解決手法が提供される。
【００１７】
前記コンポーネントに基づく動きイベントがアクティブになった時、前記端末は、前記移動判定情報を取得し、前記移動判定情報は、前記端末の移動状態を識別するために使用される。前記移動状態は、端末本体の動的移動に基づく移動を参照するとともに、タッチオペレーションに基づくスクリーンジェスチャとは異なる。
【００１８】
ステップ２０２：前記端末が、前記移動判定情報にしたがって前記端末の移動状態を識別するステップ。
【００１９】
このステップにおいて、ステップ２０１において取得された前記移動判定情報にしたがって前記移動状態の識別解析を実行することによって、前記端末は、前記端末の移動状態を識別することができる。識別手法によって取得された前記移動状態は、デスクトップ・コンテナ・ページの切り替えを制御するために使用されるとともに、前記移動状態の機能は、タッチスクリーンによって識別されたスクリーンジェスチャの機能と類似している。関連した説明のために、前記背景における関連情報を参照してもよい。
【００２０】
端末の移動状態を識別するステップの原理は、センサによって送信されたデータを用いて前記端末の移動状態を包括的に識別し、ここで言及される前記センサによって送信された前記データは、この実施形態に記載の前記移動判定情報である。たとえば、加速度センサは、前記端末の移動が静止しているか、あるいは加速移動しているか等を識別するために使用でき、重力センサは、前記端末が、横（ｌａｎｄｓｃａｐｅ）モードまたは縦（ｐｏｒｔｒａｉｔ）モードで置かれているかを識別するために使用することができ、ジャイロスコープセンサは、三次元空間の全ての方向における、前記端末の傾き角度を識別するために使用することができる。この実施形態において、前記移動状態の形式および使用されるセンサは、具体的に限定されず、以降の実施形態において好ましい解決手法が提供される。
【００２１】
ステップ２０３：前記端末が、前記移動状態にしたがって現在表示されたデスクトップ・コンテナ・ページを切り替えるとともに、前記動きイベントにおける前記コンポーネントを前記切り替えの後に表示されたデスクトップ・コンテナ・ページへ移動するステップ。
【００２２】
このステップにおいて、前記端末は、ステップ２０２において識別された前記移動状態にしたがって前記現在表示されたデスクトップ・コンテナ・ページを切り替える。前記切り替えるステップは、予め設定された方向の隣接ページへ切り替えるステップと、前記予め設定された方向と逆方向の隣接ページへ切り替えるステップとを含む。たとえば、具体的には、前のページへ切り替えるステップと、次のページへ切り替えるステップであってもよく、各移動状態は、ページへの切り替えに対応する。
【００２３】
前記ユーザが、前記デスクトップ・コンテナ・ページをターゲットページへ切り替えた後、前記端末は、前記動きイベントにおける前記ターゲットコンポーネントを前記切り替えるステップの後に表示された前記デスクトップ・コンテナ・ターゲットページへ移動する。
【００２４】
この実施形態において、コンポーネントに基づく動きイベントがアクティブになった後、端末は、移動判定情報を取得することを開始し、前記移動判定情報にしたがって前記端末の移動状態を識別し、タッチオペレーションに基づくスクリーンジェスチャの代わりに、前記移動状態にしたがってページを切り替え、コンポーネントを別のページへ移動する機能も実施する。前記コンポーネントをタッチおよびホールドする必要なしかつ前記コンポーネントをドラッグする必要がないので、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【００２５】
本発明の第２の実施形態において、前記第１の実施形態において説明された前記デスクトップコンテナの切り替えを制御するための方法の補足の説明が与えられる。図３は、以下のステップを含むこの実施形態において説明された前記切り替えを制御するための方法の具体的なプロセスを図示する。
【００２６】
ステップ３０１：端末の現在表示されたデスクトップ・コンテナ・ページ上において、事前に設定された時間を超える時間の間、タッチまたはホールドされたいずれかのコンポーネントが存在するときに、コンポーネントに基づく動きイベントがアクティブになったと判定されるステップ。
【００２７】
前記端末は、前記デスクトップコンテナのページを表示しているとともに、前記ページ上には少なくとも１つのコンポーネントが存在しているものとする。ユーザが、前記デスクトップコンテナの前記現在のページから別のページへいずれかのコンポーネントを移動させることを望む場合、コンポーネントに基づく動きイベントは、最初にアクティブになる必要がある。
【００２８】
このステップにおいて、前記ユーザは、前記コンポーネントに基づく動きイベントを能動的にアクティブにする。前記コンポーネントに基づく動きイベントにおけるコンポーネントであるとともに前記ユーザによって別のページへ移動される必要のある前記コンポーネントは、ターゲットコンポーネントとして参照される。
【００２９】
好ましくは、前記動きイベントをアクティブにする手法は、さらに、ダブルタップされたいずれかのコンポーネントが前記端末の前記現在表示されたデスクトップコンテナ上に存在するときに、前記コンポーネントに基づく動きイベントがアクティブになったことを判定するステップであってもよい。明確に、前記動きイベントを前記アクティブにする手法は、この実施形態において提供される２つの手法に限定されない。
【００３０】
ステップ３０２：前記端末は、ジャイロスコープセンサを使用することによって傾きラジアン情報を取得するとともに、加速度センサを取得することによって加速度情報を取得する。
【００３１】
前記コンポーネントに基づく動きイベントがアクティブになった時に、前記端末は、移動判定情報を取得する。前記移動判定情報が前記端末の移動状態を識別するために使用されることが、本発明の第１の実施形態において言及され、前記移動状態は、端末本体の動的移動に基づく移動を参照するとともに、タッチオペレーションに基づくスクリーンジェスチャとは異なる。
【００３２】
前記移動判定情報は、前記傾きラジアン情報および前記加速度情報を含み、前記傾きラジアン情報は、前記端末の現在の傾きラジアンを判定するために使用され、前記加速度情報は、前記傾きラジアン情報を訂正するために使用される。前記２つの情報は、前記端末の前記ジャイロスコープセンサおよび前記加速度センサを使用することによって、独立して取得される。
【００３３】
従来技術において、前記ジャイロスコープセンサは、ｘ、ｙ、およびｚの３つの軸を含む。前記ジャイロスコープセンサの出力データは、前記３つの軸の周囲を回転する角速度の値である。前記端末が縦モードで置かれた時、前記縦モードの方向は、前記ジャイロスコープセンサの前記ｙ軸の方向である。前記端末が左に傾くとき、または右に傾く時に偏位角度を取得するために、前記端末が左または右に傾くとともに復元する時、前記ジャイロスコープセンサは、ある時間外の（ｏｖｅｒｔｉｍｅ）前記ｙ軸の周囲を回転する前記角速度を統合してもよい。前記偏位角度は、前記端末が縦モードで置かれた時、前記端末が左または右に傾く時のラジアンを参照する。したがって、前記端末が縦モードで置かれた時、左に傾いた、及び右に傾いた前記移動状態は、前記ジャイロスコープセンサの特徴値を使用することによって識別されることができる。
【００３４】
加えて、前記ジャイロスコープセンサが動作する時、絶対的な基準座標システムが存在しないため、前記ジャイロスコープセンサの統合オペレーションは、エラーを蓄積してもよく、かつ長時間のエラーの蓄積は、前記端末によって読み取られる不正確なデータの原因となりうる。したがって、従来技術において、前記加速度センサは、前記ジャイロスコープセンサを訂正するために一般的に使用され、すなわち、前記加速度センサによって取得された加速度情報は、前記ジャイロスコープセンサによって取得された傾きラジアン情報を訂正するために使用される。
【００３５】
前記加速度センサが前記ジャイロスコープセンサを訂正する原理は、具体的には以下のようなものである。
【００３６】
前記ジャイロスコープセンサは、角加速度を検出するために使用されるとともに、したがって、前記ジャイロスコープセンサが静止しているとき、理論上、前記ジャイロスコープセンサは、出力を有さない。しかしながら、実際の適用において、ドリフト現象（ｄｒｉｆｔｉｎｇ  ｐｈｅｎｏｍｅｎｏｎ）が、前記ジャイロスコープセンサに対して発生する傾向があり、すなわち、前記ジャイロスコープセンサが静止している時、前記ジャイロスコープセンサは今まで通りに出力を有する。しかしながら、前記加速度センサは、安定しているとともに、ドリフト現象は、発生しない。前記端末が静止しているものとすると、前記端末が静止していることが前記加速度センサを使用することによって正確に検出されることができる。この場合、前記ジャイロスコープセンサが出力を有する場合、前記ジャイロスコープセンサに対してドリフト現象が発生していることを示す。この場合、前記ジャイロスコープセンサによって出力された値は、ドリフト値であり、計算におけるエラーの訂正計算のために用いられてもよい。
【００３７】
ステップ３０３：前記傾きラジアン情報および前記加速度情報にしたがって、前記端末の移動状態が左傾き復元か右傾き復元かを識別するステップ。
【００３８】
このステップにおいて、前記端末は、ステップ３０２において取得された前記傾きラジアン情報および前記加速度情報にしたがって前記移動状態の識別解析を実行することによって前記端末の移動状態を識別することができ、前記端末の移動状態は、前記左傾き復元および前記右傾き復元を含む。識別手法によって取得された前記移動状態は、デスクトップ・コンテナ・ページの切り替えを制御するために使用されるとともに、前記移動状態の機能は、タッチスクリーンによって識別されるスクリーンジェスチャの機能に類似している。関連した説明のために、前記背景における関連情報を参照してもよい。
【００３９】
前記端末の前記左傾き復元または前記右傾き復元を識別するステップの原理は、具体的には以下のようなものである。
【００４０】
最初に前記端末が縦モードで置かれた時、ステップ３０２において取得された前記傾きラジアン情報は、前記端末の現在の左傾きラジアンまたは右傾きラジアンを判定するために使用される。前記傾きラジアンが予め設定された値を超えた時、前記現在の左傾きまたは右傾きの期間は、予め設定された値よりも小さいかどうかも判定される。そうであるなら、現在の前記端末の移動状態が、左傾き復元または右傾き復元であることが判定される。前記予め設定された値は、実際条件にしたがって調節さてもよく、かつ前記移動状態を識別するための感度を表現してもよい。図４を参照すると、前記移動状態を決定するステップの具体例は、以下のようなものである。
【００４１】
端末４０は、デスクトップコンテナ４１と、コンポーネント４２と、ページディバイダー４３と、を含み、前記ページディバイダー４３の４つの円は、前記デスクトップコンテナ４１に対応する４つのページを表現する。時刻Ｔにおいて、ユーザは、前記コンポーネント４２をタッチおよびホールドするとともに、前記端末を前記左に傾ける。前記左傾きの傾き角度の最大値は、１７度である。ある時間の期間の後（たとえば、１秒後）、前記端末は、縦モードにおける配置状態へ回復される。傾きラジアン判定に対して予め設定された値が１５度であるとともに、期間判定に対して予め設定された値が２秒であるものとする。前記現在の移動状態の前記左傾きラジアンが１７度であるとともに前記傾きの期間が１秒であるので、前記現在の前記端末の移動状態が前記左傾き復元であることが判定されることができる。したがって、前記端末は、前記デスクトップコンテナ４１の前記現在のページの次のページへ前記コンポーネント１２を移動する。
【００４２】
ステップ３０４：前記端末は、前記左傾き復元または前記右傾き復元の識別された移動状態にしたがって前記現在表示されたデスクトップ・コンテナ・ページを切り替えるとともに、前記切り替えるステップの後に表示されたデスクトップ・コンテナ・ページへ前記動きイベントにおける前記コンポーネントを移動する。
【００４３】
このステップにおいて、前記端末がステップ３０３において識別された前記左傾き復元または前記右傾き復元の前記移動状態にしたがって前記現在表示されたデスクトップ・コンテナ・ページを切り替えるステップは、具体的には以下の通りである。
【００４４】
このステップにおいて、前記端末の移動状態が、前記左傾き復元であるとき、前記端末の前記現在表示されたデスクトップ・コンテナ・ページは、予め設定された方向の隣接ページへ切り替えられるとともに、具体的には前のページへ切り替えられてもよい。そして、前記端末の移動状態が、前記右傾き復元であるとき、前記端末の前記現在表示されたデスクトップ・コンテナ・ページは、前記予め設定された方向と逆方向の隣接ページへ切り替えられるとともに、具体的には次のページへ切り替えられてもよい。
【００４５】
前記ユーザが、前記デスクトップ・コンテナ・ページをターゲットページへ切り替えた後、前記端末は、前記動きイベントにおける前記ターゲットコンポーネントを前記切り替えるステップの後に表示された前記デスクトップコンテナ・ターゲットページへ移動する。
【００４６】
この実施形態において、事前に設定された時間を越える時間の間タッチまたはホールドされたいずれかのコンポーネントがページ上に存在する時、端末は、傾きラジアン情報および加速度情報を取得することを開始し、前記傾きラジアン情報および前記加速度情報にしたがって前記端末の移動状態が左傾き復元か、右傾き復元かを識別し、かつ前記左傾き復元または前記右傾き復元にしたがって前記ページを切り替える。それは、タッチオペレーションに基づくスクリーンジェスチャの代わりに、別のページへコンポーネントを移動させる機能も実施する。前記コンポーネントをタッチおよびホールドする必要なしかつ前記コンポーネントをドラッグする必要がないので、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【００４７】
本発明の第３の実施形態において、前記第１の実施形態において提供された前記方法に対応する端末が詳細に説明される。前記端末は、前述の方法における１以上のステップを実施するために構成される１以上のユニットを含む。したがって、前記方法における全てのステップの説明は、前記端末の対応するユニットに適用できる。図５は、以下を含むこの実施形態における前記端末の具体的な構造を図示する。
【００４８】
移動判定情報取得ユニット５０１は、コンポーネントに基づく動きイベントがアクティブになった時に前記端末の移動判定情報を取得するように構成される。
【００４９】
前記端末は、前記デスクトップコンテナのページを表示しているとともに、前記ページ上に少なくとも１つのコンポーネントが存在するものとする。ユーザが、前記デスクトップコンテナの前記現在のページから別のページへいずれかのコンポーネントを移動することを望む場合、コンポーネントに基づく動きイベントは、最初にアクティブになる必要がある。
【００５０】
前記ユーザは、前記コンポーネントに基づく動きイベントを能動的にアクティブにする。前記コンポーネントに基づく動きイベントにおけるものであるとともに前記ユーザによって別のページへ移動される必要がある前記コンポーネントは、ターゲットコンポーネントとして参照される。この実施形態において、前記動きイベントをアクティブにする手法は、具体的に限定されないが、以降の実施形態において好ましい解決手法が提供される。
【００５１】
前記コンポーネントに基づく動きイベントがアクティブになったとき、前記移動判定情報取得ユニット５０１は、前記移動判定情報を取得し、前記移動判定情報は、前記端末の移動状態を識別するために使用される。前記移動状態は、端末本体の動的移動に基づく移動を参照するとともに、タッチオペレーションに基づくスクリーンジェスチャとは異なる。
【００５２】
移動状態識別ユニット５０２は、前記移動判定情報取得ユニット５０１との通信接続において、前記端末の移動状態を前記移動判定情報にしたがって識別するように構成される。
【００５３】
前記移動状態識別ユニット５０２は、前記移動判定情報取得ユニット５０１によって取得された前記移動判定情報にしたがって前記移動状態の識別解析を実施することによって前記端末の移動状態を識別可能である。識別によって取得された前記移動状態は、デスクトップ・コンテナ・ページの切り替えを制御するために使用されるとともに、前記移動状態の機能は、タッチスクリーンによって識別されたスクリーンジェスチャの機能と同様である。関連した説明のために、前記背景における関連情報を参照してもよい。
【００５４】
前記移動状態識別ユニット５０２による前記端末の移動状態を識別する原理は、センサによって送信されたデータを使用することによって前記端末の移動状態を包括的に識別することであって、ここで言及された前記センサによって送信された前記データは、この実施形態において説明された前記移動判定情報である。たとえば、加速度センサは、前記端末の移動が静止または加速移動等であるかを識別するために使用されることができ、重力センサは、前記端末が横モードまたは縦モードで置かれているかを識別するために使用でき、かつジャイロスコープセンサは、三次元空間の全ての方向における前記端末の傾き角度を識別するために使用される。この実施形態において、前記移動状態の形式および使用されるセンサは、具体的に限定されないが、以降の実施形態において好ましい解決手法が提供される。
【００５５】
ページ切替ユニット５０３は、前記移動状態識別ユニット５０２との通信接続において、前記移動状態にしたがって現在表示されたデスクトップ・コンテナ・ページを切り替えるとともに、前記動きイベントにおける前記コンポーネントを前記切り替えるステップの後に表示されたデスクトップ・コンテナ・ページへ移動するように構成される。
【００５６】
前記ページ切替ユニット５０３は、前記移動状態識別ユニット５０２によって識別された前記移動状態にしたがって前記現在表示されたデスクトップ・コンテナ・ページを切り替える。前記切り替えるステップは、予め設定された方向の隣接ページへ切り替えるステップと、前記予め設定された方向と逆方向の隣接ページへ切り替えるステップとを含み、具体的には前のページへ切り替えるステップおよび次のページへ切り替えるステップであってもよく、各移動状態は、ページへ切り替えるステップに対応する。
【００５７】
この実施形態において、前記移動判定情報取得ユニット５０１は、コンポーネントに基づく動きイベントがアクティブになった後に移動判定情報を取得することを開始し、前記移動状態識別ユニット５０２は、前記移動判定情報にしたがって前記端末の移動状態を識別し、かつ前記ページ切替ユニット５０３は、タッチオペレーションに基づくスクリーンジェスチャの代わりに、ページを切り替えるとともに、前記移動状態にしたがって前記コンポーネントを移動し、別のページへコンポーネントを移動させる機能も実施する。前記コンポーネントをタッチおよびホールドする必要が無しかつ前記コンポーネントをドラッグする必要がないので、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【００５８】
本発明の第４の実施形態において、前記第３の実施形態において提供された前記端末の補足の説明が与えられる。この実施形態における前記端末は、前述の方法における１以上のステップを実施するように構成された１以上のユニットを含む。したがって、前記方法における全てのステップの説明は、前記端末の対応するユニットに適用可能である。図６は、以下を含むこの実施形態における前記端末の具体的な構造を図示する。
【００５９】
動きイベント・アクティベート・ユニット６０１は、事前に設定された時間を越える時間の間タッチおよびホールドされたいずれかのコンポーネントが、前記端末の現在表示されたデスクトップ・コンテナ・ページ上に存在する時、コンポーネントに基づく動きイベントがアクティブになったことが判定されるように構成される。
【００６０】
前記端末は、前記デスクトップコンテナのページを表示しているとともに、少なくとも１つのコンポーネントは、前記ページ上に存在しているものとする。いずれかのコンポーネントを前記デスクトップコンテナの前記現在のページから別のページへ移動することを望む場合、コンポーネントに基づく動きイベントは、最初にアクティブになる必要がある。
【００６１】
前記ユーザは、前記コンポーネントに基づく動きイベントを能動的にアクティブにするとともに、前記動きイベント・アクティベート・ユニット６０１は、前記イベントを判定する。前記コンポーネントに基づく動きイベントにおけるものであるとともに、前記ユーザによって別のページへ移動される必要がある前記コンポーネントは、ターゲットコンポーネントとして参照される。
【００６２】
好ましくは、前記動きイベント・アクティベート・ユニット６０１は、ダブルタップされたいずれかのコンポーネントが前記端末の前記現在表示されたデスクトップコンテナ上に存在する時、前記コンポーネントに基づく動きイベントがアクティブになったことを判定するようにさらに構成されてもよい。明確に、この実施形態において動きイベントを前記アクティブにする手法は、この実施形態において提供された２つの手法に限定されない。
【００６３】
移動判定情報取得ユニット６０２は、前記動きイベント・アクティベート・ユニット６０１との通信接続において、前記コンポーネントに基づく動きイベントがアクティブになった時に前記端末の移動判定情報を取得するように構成される。
【００６４】
前記移動判定情報取得ユニット６０２は、傾きラジアン情報取得ユニット６０２１および加速度情報取得ユニット６０２２をさらに含む。
【００６５】
前記コンポーネントに基づく動きイベントがアクティブになった時に前記端末は、前記移動判定情報を取得する。前記移動判定情報が前記端末の移動状態を識別するために使用されることが、前記本発明の第３の実施形態において言及される。前記移動状態は、端末本体の動的移動に基づく移動を参照するとともに、タッチオペレーションに基づくスクリーンジェスチャとは異なる。
【００６６】
前記移動判定情報は、前記傾きラジアン情報および前記加速度情報を含み、前記傾きラジアン情報は、前記端末の現在の傾きラジアンを判定するために使用されるとともに、前記加速度情報は、前記傾きラジアン情報を訂正するために使用される。前記２つの情報は、前記端末の前記傾きラジアン情報取得ユニット６０２１および前記加速度情報取得ユニット６０２２によって独立して取得される。
【００６７】
前記傾きラジアン情報取得ユニット６０２１は、ジャイロスコープセンサを使用することによって前記傾きラジアン情報を取得するように構成され、前記傾きラジアン情報は、前記端末の前記現在の傾きラジアンを判定するために使用される。
【００６８】
前記加速度情報取得ユニット６０２２は、前記傾きラジアン情報取得ユニット６０２１との通信接続において、加速度センサを使用することによって前記加速度情報を取得するように構成され、前記加速度情報は、前記傾きラジアン情報を訂正するために使用される。
【００６９】
従来技術における前記ジャイロスコープセンサおよび前記加速度センサの操作原理のために、前記本発明の第２の実施形態のステップ３０２における関連情報を参照してもよく、かつ詳細な説明は、ここでは繰り返さない。
【００７０】
移動状態識別ユニット６０３は、前記移動判定情報取得ユニット６０２との通信接続において、前記傾きラジアン情報および前記加速度情報にしたがって、前記端末の移動状態が左傾き復元か右傾き復元科を識別するように構成される。
【００７１】
前記移動状態識別ユニット６０３は、前記移動判定情報取得ユニット６０２によって取得された前記傾きラジアン情報および前記加速度情報にしたがって前記移動状態の識別解析を実行することによって前記端末の移動状態を識別することができる。前記端末の移動状態は、前記左傾き復元および前記右傾き復元を含む。識別によって取得された前記移動状態は、デスクトップ・コンテナ・ページの切り替えを制御するために使用されるとともに、前記移動状態の機能は、タッチスクリーンによって識別されたスクリーンジェスチャの機能と同様である。関連した説明のために、前記背景における関連情報を参照してもよい。
【００７２】
加えて、前記端末の前記左傾き復元または前記右傾き復元の前記移動状態を識別する原理のために、前記本発明の第２の実施形態のステップ３０３における関連情報を参照してもよく、かつ詳細な説明は、ここでは繰り返さない。
【００７３】
ページ切替ユニット６０４は、前記移動状態識別ユニット６０３との通信接続において、前記移動状態にしたがって現在表示されたデスクトップ・コンテナ・ページを切り替えるとともに、前記動きイベントに基づいて前記コンポーネントを、前記切り替えるステップの後に表示されたデスクトップ・コンテナ・ページへ移動する用に構成される。前記ページ切替ユニット６０４は、さらに以下を含む。
【００７４】
第１ページ切替サブユニット６０４１は、前記端末の移動状態が前記左傾き復元である時、前記端末の前記現在表示されたデスクトップ・コンテナ・ページを予め設定された方向の隣接ページへ切り替えるように構成され、前記切り替えは、具体的には前のページへの切り替えであってもよい。
【００７５】
第２ページ切替サブユニット６０４２は、前記端末の移動状態が前記右傾き復元である時、前記端末の前記現在表示されたデスクトップ・コンテナ・ページを前記予め設定された方向と逆方向の隣接ページへ切り替えるように構成され、前記切り替えは、具体的には次のページへの切り替えであってもよい。
【００７６】
この実施形態において、前記動きイベント・アクティベート・ユニット６０１が事前に設定された時間を越える時間の間タッチおよびホールドされたいずれかのコンポーネントがページ上に存在することを判定した時、前記移動判定情報取得ユニット６０２は、傾きラジアン情報および加速度情報の取得を開始し、前記移動状態識別ユニット６０３は、前記傾きラジアン情報および前記加速度情報にしたがって、前記端末の移動状態が左傾き復元か右傾き復元かを識別し、かつ前記ページ切替ユニット６０４は、タッチオペレーションに基づくスクリーンジェスチャの代わりに、前記左傾き復元または前記右傾き復元にしたがって前記ページを切り替え、別のページへコンポーネントを移動させる機能も実施する。前記コンポーネントをタッチおよびホールドする必要なしかつ前記コンポーネントをドラッグする必要がないので、この方法は、ユーザの手の疲労を回避し、かつ前記端末をしっかりとホールドすることを招くとともに、端末を落とす危険を減少させ、それによって前記ユーザのオペレーションエクスペリエンスを改善する。
【００７７】
当業者は、前記実施形態における方法のステップの全てまたは一部が関連するハードウェアに指示するプログラムによって実施されることを理解しうる。前記プログラムは、コンピュータ読み取り可能記憶媒体に記憶されてもよい。前記記憶媒体は、読み取り専用メモリ、磁気ディスク、光学ディスク等であってもよい。
【００７８】
本発明によって提供されるデスクトップコンテナの切り替えを制御するための方法および端末は、上記において詳細に説明され、当業者は、前記本発明の実施形態の着想に基づく具体的な実施形態の手法および適用範囲を変更してもよく、要するに、本明細書は、本発明の限定として見なされるべきではない。
【符号の説明】
【００７９】
１０、４０  端末
１１、４１  デスクトップコンテナ
１２、４２  コンポーネント
１３、４３  ページディバイダー
５０１  移動判定情報取得ユニット
５０２  移動状態識別ユニット
５０３  ページ切替ユニット
６０１  動きイベント・アクティベート・ユニット
６０２  移動判定情報取得ユニット
６０３  移動状態識別ユニット
６０４  ページ切替ユニット
６０２１  ラジアン情報取得ユニット
６０２２  加速度情報取得ユニット
６０４１  第１ページ切替サブユニット
６０４２  第２ページ切替サブユニット
【手続補正２】
【補正対象書類名】特許請求の範囲
【補正対象項目名】全文
【補正方法】変更
【補正の内容】
【特許請求の範囲】
【請求項１】
コンポーネントに基づく動きイベントがアクティブになった時に、端末によって移動判定情報を取得するステップと、
前記移動判定情報にしたがって、前記端末によって前記端末の移動状態を識別するステップと、
前記移動状態にしたがって、前記端末によって現在表示されたデスクトップ・コンテナ・ページを切り替えるとともに、前記動きイベントに基づいて、前記切り替えるステップの後に表示されたデスクトップ・コンテナ・ページへコンポーネントを移動させるステップと、
を具備する、デスクトップ・コンテナ・ページの切り替えを制御するための方法。
【請求項２】
前記コンポーネントに基づく動きイベントがアクティブになることは、
前記端末の前記現在表示されたデスクトップ・コンテナ・ページにおいて、事前に設定された時間を超える時間の間、タッチまたはホールドされたいずれかのコンポーネントが存在するときに、前記コンポーネントに基づく動きイベントがアクティブになったと判定されること、
または、
前記端末の前記現在表示されたデスクトップコンテナにおいて、ダブルタップされたいずれかのコンポーネントが存在する時に、前記コンポーネントに基づく動きイベントがアクティブになったと判定されること、
を具備する、請求項１に記載の方法。
【請求項３】
前記移動判定情報は、傾きラジアン情報および加速度情報を具備するとともに、
端末によって移動判定情報を取得する前記ステップは、
前記端末によってジャイロスコープセンサを用いて前記傾きラジアン情報を取得するステップであって、前記傾きラジアン情報が前記端末の現在の傾きのラジアンを判定するために使用される、ステップと、
前記端末によって加速度センサを用いて前記加速度情報を取得するステップであって、前記加速度情報が前記傾きラジアン情報を訂正するために使用される、ステップと、
を具備する、請求項１または２に記載の方法。
【請求項４】
前記端末の移動状態は、左傾き復元および右傾き復元を具備するとともに、
前記端末の移動状態にしたがって、前記端末によって現在表示されたデスクトップ・コンテナ・ページを切り替える前記ステップは、
前記端末の移動状態が前記左傾き復元のときに、予め設定された方向の隣接ページへ前記端末の前記現在表示されたデスクトップ・コンテナ・ページを切り替えるステップと、
前記端末の移動状態が前記右傾き復元のときに、前記予め設定された方向と逆方向の隣接ページへ前記端末の前記現在表示されたデスクトップ・コンテナ・ページを切り替えるステップと、
を具備する、請求項１から３のいずれか１項に記載の方法。
【請求項５】
コンポーネントに基づく動きイベントがアクティブになった時に前記端末の移動判定情報を取得するように構成される移動判定情報取得ユニットと、
前記移動判定情報にしたがって、前記端末の移動状態を識別するように構成される移動状態識別ユニットと、
前記移動状態にしたがって、現在表示されたデスクトップ・コンテナ・ページを切り替えるとともに、前記動きイベントに基づいて前記切り替えの後に表示されたデスクトップ・コンテナ・ページへコンポーネントを移動するように構成される、ページ切替ユニットと、
を具備する、端末。
【請求項６】
前記端末の前記現在表示されたデスクトップコンテナにおいて、事前に設定された時間を超える時間の間、タッチまたはホールドされたいずれかのコンポーネントが存在するときに、前記コンポーネントに基づく動きイベントがアクティブになったと判定する、または、前記端末の前記現在表示されたデスクトップコンテナにおいて、ダブルタップされたいずれかのコンポーネントが存在する時に、前記コンポーネントに基づく動きイベントがアクティブになったと判定するように構成される、動きイベント・アクティベート・ユニットと、
をさらに具備する、請求項５に記載の端末。
【請求項７】
前記移動判定情報取得ユニットによって取得された前記移動判定情報は、傾きラジアン情報および加速度情報を具備するとともに、前記移動判定情報取得ユニットは、
ジャイロスコープセンサを使用することによって前記傾きラジアン情報を取得するように構成される、傾きラジアン情報取得ユニットであって、前記傾きラジアン情報は、前記端末の現在の傾きラジアンを判定するために使用される、傾きラジアン情報取得ユニットと、
加速度センサを使用することによって前記加速度情報を取得するように構成される、加速度情報取得ユニットであって、前記加速度情報は、前記傾きラジアン情報を訂正するために使用される、加速度情報取得ユニットと、
をさらに具備する、請求項５又は６に記載の端末。
【請求項８】
前記移動状態識別ユニットによって識別される前記端末の移動状態は、左傾き復元および右傾き復元を具備するとともに、前記ページ切替ユニットは、
前記端末の移動状態が前記左傾き復元のときに、予め設定された方向の隣接ページへ前記端末の前記現在表示されたデスクトップ・コンテナ・ページを切り替えるように構成される、第１ページ切替サブユニットと、
前記端末の移動状態が前記右傾き復元のときに、前記予め設定された方向と逆方向の隣接ページへ前記端末の前記現在表示されたデスクトップ・コンテナ・ページを切り替えるように構成される、第２ページ切替サブユニットと、
をさらに具備する、請求項５から７のいずれか１項に記載の端末。
【請求項９】
コンピュータ上でコンピュータプログラムが実行された時、請求項１から４のいずれか一項に記載の方法を実行するためのプログラムコードを有するコンピュータプログラム。
【国際調査報告】
2015506518.tif 000009
2015506518.tif 000010
2015506518.tif 000011
2015506518.tif 000012